(57)【要約】      （修正有）【課題】言葉が不自由な乳幼児から認知症の徘徊老齢者に至る広範囲の使用者が安全かつ簡易に使用でき、家族や介護者にとっても手間がかからない簡便かつ確実な位置情報検索手段であるＧＰＳ携帯端末靴内収納保持具を提供する。【解決手段】靴の踵部上の靴内底層５上に収納部１が載置され、収納部１の開孔部１ａ内にはＧＰＳ携帯端末２が内装されている。収納部１上には上蓋部３が重なりさらに靴中敷４が載置されている。収納部１は踵辺縁１ｃから土踏まず辺縁１ｂ方向に向かってなだらかに傾斜しているために靴中敷４が緩やかな曲線を描き、段差等がない。上蓋部３と靴中敷４の相互に接する面は接着する場合もあり得る。【選択図】図２
0003199606.tif 000002
【実用新案登録請求の範囲】
【請求項１】
ＧＰＳ携帯端末を使用者の歩行に給する靴内に保持する手段として、前記ＧＰＳ携帯端末本体を保持する収納部及び該収納部と平面形状が略同一の上蓋部から構成されてなり、該収納部は靴内踵部から土踏まず部の略中間部に及ぶ長さを有しかつ土踏まず部辺縁方向に踵部辺縁より薄く形成されてなり、該収納部略中央部にはＧＰＳ携帯端末を収納保持する貫通孔が開孔し、前記上蓋部を積載した前記収納部を靴内踵部の内底層と中敷の中間に載置若しくは固着してなることを特徴とするＧＰＳ携帯端末靴内収納保持具。
【考案の詳細な説明】
【考案の詳細な説明】
【技術分野】
【０００１】市販のＧＰＳ携帯端末を靴内に装着して使用者の位置情報を第三者が検索することにより、幼児や徘徊者あるいは言語表現を介しての意思疎通に問題の有る使用者に供するためのＧＰＳ携帯端末収納保持具に関するものである。
【背景技術】
【０００２】  従来、例えば認知症障害や高齢者等が市販のＧＰＳ携帯端末を携帯保持することにより、迷子になった場合でもＧＰＳ測位により、インターネット経由で親族、介護者等が位置情報を検索して早期発見、早期保護する方法が知られており、私的あるいは公的な介護サービス活動として知られている。しかしながら例えば認知症障害が進行した徘徊傾向が強い老人等の場合、必ずしもＧＰＳ端末を携帯して外出するとは限らず、所持品を持たずに徘徊してしまう場合も少なくないのが実情である。したがって例えば徘徊者の意志に関係なく本人の着衣あるいは手足等身体に直接ＧＰＳ端末を固定する手段等が知られている。しかしながら徘徊者が脱衣してしまう場合も多く、又身体に直接固定する場合には着脱の管理、あるいは本人が嫌がった場合に症状を増悪させる契機ともなりかねないという問題点があった。
【先行技術文献】
【特許文献】
【０００３】
【特許文献１】登録実用新案  第３１９４３２０号公報
【特許文献２】特許公開２００３−２３９１１８号公報
【考案の概要】
【考案が解決しようとする課題】
【０００４】  本考案の目的はこのような難点を解消するものであり、すなわち使用者本人の衣服や携帯品や身体的な不自由さを感じさせずに本人が履いている靴底の中に薄型のＧＰＳ端末を内装することにより、本人の意志の有無を問わず、安全かつ簡易であり効果の確実な位置情報検索手段を提供することにある。
【課題を解決するための手段】
【０００５】  請求項１に記載の考案によれば、本ＧＰＳ携帯端末収納保持具はあたかも靴の中敷（インソール）を土踏まず部で切断した後ろ半分に近似した平面形状の収納部と該収納部に載置する略同一平面形状の上蓋部から構成されている。前記収納部の縦断面形状は踵辺縁においてはＧＰＳ端末本体より僅かに厚く、土踏まず辺縁方向に向かって薄く形成されていて、さらに前記収納部中央部にはＧＰＳ端末を落し込む貫通孔が形成されており靴内底層上に載置した前記収納部の開孔部にＧＰＳ携帯端末を落し込んだ後に前記上蓋部を被せた上にインソールを被せることにより課題を解決している。【０００６】  前記収納部の断面形状は踵部で厚く、土踏まず部方向に順次薄くなるので段差や違和感がなくまた使用者の体重は主として踵中央に垂直にかかるので該収納部は靴中で安定した位置を占め、靴内底に接着や固定等は不要である。また前記上蓋部は硬質薄板であり、前記収納部に載置あるいは中敷（インソール）裏面に接着する等により使用者の荷重からＧＰＳ携帯端末の破損を保護できるように構成することにより課題を解決している。当然の事ながら、ＧＰＳ携帯端末の装着は左右いずれか一方の靴を使用し、使用日により左右交互に入れ替えて使用しても不都合はない。
【考案の効果】
【０００７】  すなわち、例えば認知症の徘徊者等に本装置を使用する場合には、家族あるいは介護者が充電を済ませたＧＰＳ携帯端末を徘徊者の一方の靴の中敷と上蓋をめくり、収納部の開口部に落とし込み、上蓋と中敷を元に戻すだけである。ＧＰＳ携帯端末の充電は２〜３週間程度であるので家族や介護者観察者にはそれ程大きな負担にはならない。徘徊者は外套、上着、携行品を紛失してしまう事例が報告されているが、履いていた靴まで紛失していた事例は少い。本考案では、薄型のＧＰＳ携帯端末を使用するので、靴の内底は比較的薄く、歩行に不安定感や不快感を有さず、徘徊者にとり、あるいは家族や介護者にとって手間暇がかからず簡易かつ有効に使用者の位置情報を検索できる構成となっている。【０００８】  前記収納部は、内装するＧＰＳ携帯端末に負荷がかからない強靱性と、かつ人体に優しい僅かな弾力性を有する素材が相応しく、コルク集積材、ＥＶＡ樹脂、硬質エラストマー樹脂、ブタジェン樹脂等が想定される。また前記上蓋は内装するＧＰＳ携帯端末を保護するため硬質薄板が望ましく例えば圧縮ボール紙芯材、樹脂含浸木材繊維板、ＦＲＰ板等が想定される。前記収納部は靴内底に接着、固定をしないので、使用者が他の靴を履く事を希望した場合でも即座に希望する靴内に設置でき、前記上蓋を中敷（インソール）裏面に接着した場合でも中敷ごと移動すれば良いので、使い勝手は極めて良好である。【０００９】  内装するＧＰＳ携帯端末の一例では寸法が横約３９、縦約４６、厚さ約１２、いずれもミリメートル、重さ約３０グラムであり、使用者にとって負担になるものではない。またバッテリーの連続使用時間は約４００時間であり、家族や介護者が徘徊者の不使用時に電源を切ると充電回数を減らす事ができるのは言うまでもない。
上述のように本考案のＧＰＳ携帯端末靴内収納保持具は、使用する本人に機器使用の負担感を感じさせず又、家族や介護者にとっても比較的容易かつ確実に使用できるものであり、万が一行方不明になった時の安全手段として極めて安心できるものである。また内装するＧＰＳ携帯端末が小型軽量であるため成人のみならず、言葉が発達していない乳幼児の迷子対策としても安全、簡便かつ極めて効果的であるのは言うまでもない。
【実施例】
【００１０】  以下、添付図面に従って一実施例を説明する。［第１図］によって説明すると本図はＧＰＳ携帯端末靴内収納保持具を使用者が履く靴に内装する前の状態を示す構造分解図による説明図である。すなわち１収納部の略中央部には１ａ開孔部が貫通孔として形成され、２ＧＰＳ携帯端末が内装される。該収納部の後部は１ｃ踵辺縁として厚く前方は１ｂ土踏まず辺縁として薄く形成されている。該収納部上方からは硬質薄板３上蓋部が載置される。【００１１】  ［第２図］によって説明すると、本図は［第１図］に示すＧＰＳ携帯端末靴内収納保持具を靴内に内装した使用状態を示す縦断面図による説明図である。すなわち靴の踵部上の５靴内底層上に１収納部が載置され、該収納部の１ａ開孔部内には２ＧＰＳ携帯端末が内装されている。該収納部上には３上蓋部が重なりさらに４靴中敷が載置されている。１収納部は１ｃ踵辺縁から１ｂ土踏まず辺縁方向に向かってなだらかに傾斜しているために４靴中敷が緩やかな曲線を描き、段差等がない。３上蓋部と４靴中敷の相互に接する面は接着する場合もあり得るものである。
【図面の簡単な説明】
【００１２】
【図１】本考案実施例のＧＰＳ携帯端末を靴内に収納する状態を示す構造分解斜視図である。
【図２】本考案実施例のＧＰＳ携帯端末を靴内に収納した使用状態を示す断面図による説明図である。
【符号の説明】
【００１３】    １    ＧＰＳ携帯端末収納部
１ａ  開孔部
１ｂ  土踏まず辺縁
１ｃ  踵辺縁
２    ＧＰＳ携帯端末
３    上蓋部
４    靴中敷
５    靴内底層
６    靴外底
７    靴踵部
【図１】
0003199606.tif 000003
【図２】
0003199606.tif 000004